【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
ヘアカット機器の刃のセットのためのセグメント化された固定刃であって、前記刃のセットは、毛を切断するために、移動方向において毛を通って移動するように構成され、前記刃は、
動作中、肌に面する壁部分として機能するように構成された第１の壁部分と、第２の壁部分と、中間壁部分と、を有し、少なくとも前記第１の壁部分は、実質的に平坦な態様で延在しており、
前記第１の壁部分、前記第２の壁部分、及び、前記中間壁部分は、固定的に相互接続されており、これにより、セグメント化された層を形成しており、
前記中間壁部分は、前記第１の壁部分と前記第２の壁部分との間に配置され、
前記第１の壁部分、前記第２の壁部分、及び、前記中間壁部分は、実質的に同等の全体的拡がりを有し、これにより、前記セグメント化された層の端部において、少なくとも１つの歯状の先端エッジを協働して形成し、
前記少なくとも１つの先端エッジは、相互に間隔を空けられた各スロットと交互である複数の相互に間隔を空けられた突起部を有し、これにより、複数の歯と各歯のスペースとを規定し、
前記歯状の先端エッジは、少なくとも部分的に、動作中に想定される前記移動方向に対する側面方向において延在しており、前記相互に間隔を空けられた突起部は、少なくとも部分的に、前記側面方向に対しておよそ直交する長手方向において前に延在しており、
前記中間壁部分は、少なくとも１つの切り出し部分を有し、前記中間壁部分において設けられた前記少なくとも１つの切り出し部分は、前記セグメント化されたスタックの前記少なくとも１つの先端エッジにおいて、前記中間壁部分の複数の残りの端部を規定しており、
前記中間壁部分における前記少なくとも１つの切り出し部分、前記第１の壁部分、及び、前記第２の壁部分は、これらの間に、可動刃のためのガイドスロットを規定しており、
前記中間壁部分に設けられた前記少なくとも１つの切り出し部分が、前記側面方向に対して直交する断面において見た場合に前に延在する突起部の基本的にＵ字形状の歯形状を規定するため、前記セグメント化されたスタックの長手方向端部内へ長手方向に延在し、前記Ｕ字形状の歯形状が、前記第１の壁部分によって形成された第１の歯脚と、前記第２の壁部分によって形成された第２の歯脚と、前記第１の歯脚と前記第２の歯脚とを接続する前記中間壁部分の残りの端部によって形成された接続領域と、を有する、固定刃。
【請求項２】
前記第１の壁部分が、第１の層を形成し、前記第２の壁部分が、第２の層を形成し、前記中間壁部分が、中間層を形成し、前記第１の層、前記第２の層、及び、前記中間層が、積層を形成する、請求項１記載の固定刃。
【請求項３】
前記ガイドスロットの隙間高さが、少なくとも、前記少なくとも１つの先端エッジにおいて、前記第１の壁部分と前記第２の壁部分との間に配置された前記中間壁部分の厚さ寸法によって規定される、請求項１又は２に記載の固定刃。
【請求項４】
少なくとも前記第１の壁部分が、金属薄板の壁部分であり、好ましくは、前記第１の壁部分、前記第２の壁部分、及び、前記中間壁部分の各々が、金属薄板の壁部分である、請求項１乃至３のいずれか１項に記載の固定刃。
【請求項５】
前記第１の壁部分が、前記長手方向及び前記側面方向に直交する、高さ寸法、特に、金属薄板壁厚さ寸法を持つ肌に面する壁部分として構成され、前記高さ寸法が、約０．０４ｍｍ乃至約０．３ｍｍの範囲にあり、好ましくは、約０．０４ｍｍ乃至約０．２ｍｍの範囲にあり、より好ましくは、約０．０４ｍｍ乃至約０．１５ｍｍの範囲にある、請求項１乃至４のいずれか１項に記載の固定刃。
【請求項６】
前記第２の壁部分が、前記肌に面する第１の壁部分の反対側の後部壁部分として構成され、前記第２の壁部分が、前記長手方向及び前記側面方向に直交する高さ寸法、特に、金属薄板壁厚さ寸法を持ち、前記第２の壁部分の前記高さ寸法と前記第１の壁部分の前記高さ寸法との間の比が、約０．８：１乃至約５．０：１の範囲にあり、好ましくは、約１．２：１乃至約３．０：１の範囲にあり、より好ましくは、約１．５：１乃至約１．８：１の範囲にある、請求項５記載の固定刃。
【請求項７】
前記中間壁部分が、前記第１の壁部分及び前記第２の壁部分の各々に対して直接取り付けられ、前記第１の壁部分、前記第２の壁部分、及び、前記中間壁部分が、接着され、特に、レーザ溶接される、請求項１乃至６のいずれか１項に記載の固定刃。
【請求項８】
前記端部の数が、歯の数に対応し、前記中間壁部分の前記端部が、前記中間壁部分の別個の部分を形成する、請求項１乃至７のいずれか１項に記載の固定刃。
【請求項９】
前記第１の壁部分、前記第２の壁部分、及び、前記中間壁部分が、前記セグメント化されたスタックの第１の長手方向端部における第１の歯先端エッジと、前記セグメント化されたスタックの第２の長手方向端部における第２の歯先端エッジとを協働して形成し、前記第１の歯先端エッジ及び前記第２の歯先端エッジが、互いに反対方向を向いており、前記第１の歯先端エッジ及び前記第２の歯先端エッジの各々が、歯部分を有し、前記固定刃が、２つの対応する歯先端エッジを有する可動刃を収容するように構成される、請求項１乃至８のいずれか１項に記載の固定刃。
【請求項１０】
前記中間壁部分における前記少なくとも１つの切り出し部分が、前記セグメント化されたスタックの横方向端部において、側面開口を更に規定する、請求項１乃至９のいずれか１項に記載の固定刃。
【請求項１１】
ヘアカット機器のための刃のセットであって、前記刃のセットは、毛を切断するために移動方向において毛を通って移動されるように構成され、前記刃のセットは、
請求項１乃至１０のいずれか１項に記載の固定刃と、
少なくとも１つの歯先端エッジを具備する可動刃であって、前記可動刃は、切断動作において前記可動刃と前記固定刃との間に捉えられた毛の切断を可能とするため、前記固定刃に対して前記可動刃の線形運動又は回転に関し、前記可動刃の前記少なくとも１つの歯先端エッジが、前記固定刃の対応する歯と協働するように、前記固定刃によって規定される前記ガイドスロット内に移動可能に配置される前記可動刃と、
を有する、刃のセット。
【請求項１２】
モータを収容する筺体と、
請求項１１記載の刃のセットとを有し、
前記固定刃が、前記筺体に接続可能であり、前記モータが、前記固定刃の前記ガイドスロット内で前記可動刃を線形的に駆動又は回転させることができるように、前記可動刃が、前記モータに動作可能に接続可能である、ヘアカット機器。
【請求項１３】
ヘアカット機器のための刃のセットの固定刃を製造する方法であって、前記方法は、
第１の壁部分、第２の壁部分、及び、中間壁部分を供給するステップであって、少なくとも前記第１の壁部分が、実質的に平坦な全体形状を有する前記ステップと、
前記中間壁部分において少なくとも１つの切り出し部分を形成するステップと、
前記第１の壁部分と前記第２の壁部分との間に前記中間壁部分を配置するステップと、
前記第１の壁部分、前記第２の壁部分、及び、前記中間壁部分を固定的に相互接続する、特に接着するステップであって、これにより、前記第１の壁部分と前記第２の壁部分とが、前記第１の壁部分と前記第２の壁部分との間に配置された前記中間壁部分における前記少なくとも１つの切り出し部分を少なくとも部分的に覆うように、セグメント化されたスタックを形成するステップと、
を有し、
前記第１の壁部分、前記第２の壁部分、及び、前記中間壁部分が、実質的に同等の全体寸法を有し、前記第１の壁部分、前記第２の壁部分、及び、前記中間壁部分を相互接続するステップが、
前記セグメント化されたスタックの長手方向端部において、前記第１の壁部分、前記第２の壁部分、及び、前記中間壁部分が接続される少なくとも１つの先端エッジを形成するステップと、
可動刃のためのガイドスロットを形成するステップであって、前記ガイドスロットは、前記中間壁部分における前記少なくとも１つの切り出し部分、前記第１の壁部分、及び、前記第２の壁部分によって規定され、前記中間壁部分は、前記少なくとも１つの先端エッジにおいて、前記少なくとも１つの切り出し部分によって規定される複数の残りの端部を更に有する前記ステップと、
前記セグメント化されたスタックの前記少なくとも１つの先端エッジにおいて、各スロットと交互である複数の相互に間隔を空けられた突起部を形成することによって、複数の歯及び各歯スペースを規定するステップと、
を更に有し、
前記歯が、前記第１の壁部分によって形成された第１の歯脚と、前記第２の壁部分によって形成された第２の歯脚と、前記第１の歯脚と前記第２の歯脚とを接続する前記中間壁部分の残りの端部によって形成された接続領域と、を有するＵ字形状の歯形状を有する、方法。
【請求項１４】
少なくとも前記第１の壁部分が、ストリップ材料として供給され、前記方法は、
前記第１の壁部分、前記第２の壁部分、及び、前記中間壁部分を相互接続する前に、前記第１の壁部分、前記第２の壁部分、及び、前記中間壁部分を位置決めする、特に、長手方向及び横方向に位置決めするステップと、
前記ストリップ材料を分離する、特に切断することによって、前記セグメント化されたスタックを形成するセグメントを得るステップと、
を更に有する、請求項１３記載の方法。
【請求項１５】
前記少なくとも１つの先端エッジにおいて前記前に延在している突起部を形成する前記ステップが、
前記セグメント化されたスタックの先端エッジにおいて、複数の歯形状の突起部を形成するステップと、
前記歯形状の突起部に材料除去処理を施すことによって、前記固定刃の歯先端エッジを得るステップと、
を有する、請求項１３又は１４に記載の方法。
【請求項１６】
ヘアカット機器のための刃のセットを製造する方法であって、前記方法は、
請求項１３乃至１５のいずれか１項に記載の方法に従って、固定刃を製造するステップと、
前記固定刃の少なくとも１つの各歯先端エッジと協働するように構成された少なくとも１つの歯先端エッジを有する可動切断刃を供給するステップと、
前記可動切断刃を前記ガイドスロット、前記固定刃の前記第１の壁部分及び前記第２の壁部分の中に挿入する、特に、前記可動切断刃を、前記セグメント化されたスタックの横方向端部における側面開口に通すステップと、
を有する、方法。